Podtech/llm-jp-corpus-v4-ja_patent huggingface dataset:
(57)【要約】【課題】  糖尿病及び生活習慣病の改善・予防効果のある健康加工食品に関するものであり、菊芋のイヌリンと味噌の栄養成分である大豆サポニン、大豆ペプチド及びメラノイジンとの相乗効果で、より血糖値の上昇を抑制させることを目的とした調理の汎用性がある菊芋入り味噌である。  従来から菊芋を使用した糖尿病の改善及び予防効果を目的とした加工食品はあるが、菊芋の形状は、粉末・顆粒又は粒状にしたタイプが多く、生の菊芋を原料とした加工食品はない。  また、糖尿病の改善効果には、イヌリンが１日に約８ｇ〜１０ｇの摂取が必要とされているが、従来の加工食品には単体で１日の必要量を摂取することは出来ない。【解決手段】  糖尿病にとって最も重要なのは血糖値のコントロールであることから、味噌の栄養成分である特にメラノイジン（活性酸素を除去し、強力な抗酸化作用がある）と菊芋との相乗効果が糖尿病の改善及び予防効果がよりあると考え、菊芋入り味噌単品で、毎日の朝・昼・夕の味噌汁及び菊芋入り味噌を調味料に使用した惣菜で１日に必要なイヌリンを美味しく無理なく摂取可能に解決をした。【特許請求の範囲】
【請求項１】
天然のインシュリンを多く含む、生菊芋のみじん切りを味噌の仕込み工程で、大豆に併用して添加したことで、糖尿病及び生活習慣病の改善・予防効果のある健康加工食品にしたことが特徴の菊芋入り味噌の製造方法。
【発明の詳細な説明】
【技術分野】
【０００１】  本発明は、糖尿病及び生活習慣病の改善・予防効果のある健康加工食品に関するものであり、菊芋のイヌリンと味噌の栄養成分である大豆サポニン、大豆ペプチド及びメラノイジン等の相乗効果で、より血糖値の上昇を抑制させることを目的とした調理汎用性がある健康味噌として開発したものである。
【背景技術】
【０００２】  厚生労働省の糖尿病実態調査より、近年、糖尿病が強く疑われる人は約７４０万人で、糖尿病予備軍は約８８０万人、両者を合計すると約１，６２０万人で、成人の６人に１人は糖尿病か、その予備軍と言われ、それに伴う効果的で安全な健康食品の需要が高まっている。【０００３】  その一つとして、キク科ヒマワリ属の多年草である菊芋（学名：ヘリアンツスツベロスス）が近年注目されている。菊芋の主成分はデンプンではなく、体内でブドウ糖に分解されないイヌリンという多糖体で、血糖値の上昇を抑える作用が期待出来るものである。【０００４】  しかし、従来から菊芋を使用した糖尿病の改善及び予防効果を目的とした加工食品はあるが、菊芋の形状は、粉末・顆粒又は粒状にしたものが多く、生の菊芋を原料とした加工食品はない。また、糖尿病改善効果には、イヌリンが１日に約８ｇ〜１０ｇ必要とされているが従来の加工食品には単品で１日の必要量を摂取することは出来ない。【０００５】  糖尿病にとって最も重要なのは血糖値のコントロールであることから、味噌の栄養成分である大豆サポニン、大豆ペプチド及び特にメラノイジン（活性酸素を除去し、強力な抗酸化作用がある）と菊芋との相乗効果が、糖尿病の改善及び予防効果がよりあると言える。
【発明の開示】
【発明が解決しようとする課題】
【０００６】  本発明は、菊芋入り味噌単品で、１日に必要なイヌリンを美味しく無理なく摂取可能に解決することを課題とする。
【課題を解決するための手段】
【０００７】  請求項１の発明は、味噌の仕込み工程で大豆に併用して、生の菊芋のみじん切りを味噌出来上がり量に対して１０％〜２０％添加していることを特徴とする、菊芋入り味噌である。生の菊芋には、イヌリンが約１３％〜２０％含まれ、毎日の朝・昼・夕の味噌汁及び菊芋入り味噌を調味料に使用した惣菜を食べれば、イヌリンの必要量が摂取可能となる。
【発明の効果】
【０００８】  本発明は、糖尿病及び生活習慣病の改善・予防効果を前提に天然インシュリンと言われる生菊芋のイヌリンを味噌の仕込み段階で、メラノイジン（活性酸素を除去し、強力な抗酸化作用がある）を含む大豆に併用して添加した相乗効果で、血糖値の上昇を抑える作用が期待出来る調理汎用性のある菊芋入り味噌である。
【実施例１】
【０００９】  菊芋１０％添加の基本材料は、生大豆７６０ｇ／水戻し後１６７０ｇ（３３．４％）、米麹１８００ｇ（３６．０％）、生菊芋４５０ｇ（９．０％）、塩４５０ｇ（９．０％）種水６３０ｇ（１２．６％）で、出来上がりは、約５ｋｇである。【００１０】  菊芋２０％添加の基本材料は、生大豆６０５ｇ／水戻し後１３３０ｇ（２６．６％）、米麹１８００ｇ（３６．０％）、生菊芋９００ｇ（１８．０％）、塩４５０ｇ（９．０％）種水５２０ｇ（１０．４％）で、出来上がりは、約５ｋｇである。【００１１】  請求項１の製造方法は、
▲１▼大豆を良く洗い、大豆の約２．５倍量の水に一晩浸漬する。
▲２▼生菊芋を洗浄〜皮剥き〜みじん切り〜蒸し〜冷却をする。
▲３▼米麹は塩と良く混ぜ合わせ、塩切り麹を作る。
▲４▼浸漬済み大豆を一度水切りし、たっぷりの水を加え大豆が指で潰れる位まで煮込む。
▲５▼大豆が煮あがったら笊にあけて、煮汁（種水）をとっておく。種水は後で使用する。
▲６▼煮あがった大豆を冷めないうちにスリコギ等で磨り潰す。
▲７▼磨り潰した大豆が、人肌程度の熱さになったら、▲３▼の塩切り麹と混ぜ合わす。
▲８▼次に▲２▼の菊芋を加えムラなく良く混ぜ合わせる。
▲９▼次に▲５▼の種水を加えて、ハンバーグ生地程度の柔らかさになるようにする。
▲１０▼仕込み用桶等に団子状に丸めたものを隙間の出来ない様に隅々までしっかりと詰め込み、表面を平らにしてラップ等でおおう。
▲１１▼蓋は上部の空間を出来るだけ少なくする。
▲１２▼熟成〜完成。【００１２】  この実施例による菊芋入り味噌は、味噌の塩分は一般的には１２％前後であるが、毎日摂取することを考え、塩分濃度９％を前提条件とし、１日に必要なイヌリンを美味しく無理なく摂取することが可能である。
(57)【要約】【課題】エアポンプに接続しているエアストーンから発生する気泡が水面に浮上して水面で破裂する時に気泡破裂音が発生する。【解決手段】水槽１の水中に容器２を設置し、容器２内にエアストーン３を設置し、エアストーン３から発生する気泡を容器２内上部で破裂させ、容器２内上部に貯まる気体をホース６から排出し、ホース６を水面７上に突出し、水面７上に突出しているホース６を斜め上方向に傾斜し、ホース６の出口に開閉調節可能コック８を接続し、開閉調節可能コック８の開閉量を調節してホース６を流れる気体の排出ペースを小さくし、開閉調節可能コック８の出口に綿９を詰め込む。【選択図】図１
2010017166.tif 000002
【特許請求の範囲】
【請求項１】
水槽の水中に横幅長の立方体容器を設置し、横幅長の立方体容器内の右端にエアストーンを設置し、横幅長の立方体容器上面にホースを接続し、ホースを水面上に突出し、水面上に突出しているホースを斜め上方向に傾斜し、ホースの出口に開閉調節可能コックを接続し、開閉調節可能コックの出口に綿を詰め込み、横幅長の立方体容器の左側面に排水用の穴を開け、エアストーンの真上の立方体容器上面にウォーターポンプを接続し、水槽の水のエアレーションを静音化することを特徴とする水槽用エアレーション静音化装置。
【発明の詳細な説明】
【技術分野】
【０００１】  本発明は、エアポンプに接続しているエアストーンから発生する気泡が水面に浮上して水面で破裂する時に発生する気泡破裂音を静音化する事を目的とする、水槽用エアレーション静音化装置に関するものである。
【背景技術】
【０００２】  エアポンプに接続しているエアストーンから発生する気泡が水面に浮上して水面で破裂する時に気泡破裂音が発生する。
【発明の開示】
【発明が解決しようとする課題】
【０００３】  解決しようとする問題点は、エアポンプに接続しているエアストーンから発生する気泡が水面に浮上して水面で破裂する時に発生する気泡破裂音を静音化できない点である。
【課題を解決するための手段】
【０００４】  以上の課題を解決するために本発明は、エアポンプに接続しているエアストーンを水槽の水中に設置している容器内に設置し、エアストーンから発生する気泡を容器内上部で破裂させ、容器内上部に貯まる気体を容器上面に接続しているホースから排出し、ホースを水面上に突出し、水面上に突出しているホースを斜め上方向に傾斜し、ホースの出口に開閉調節可能コックを接続し、開閉調節可能コックの開閉量を調節してホースを流れる気体の排出ペースを小さくし、開閉調節可能コックの出口に綿を詰め込む。
【発明の効果】
【０００５】  エアストーンから発生する気泡を水中の容器内上部で破裂させることによって気泡破裂音を静音化し、水面上に突出しているホースを斜め上方向に傾斜することによってホースを流れる気体の突発的な排出を緩和し、ホースの出口に開閉調節可能コックを接続することによってホースを流れる気体の排出ペースを調節でき、開閉調節可能コックでホースを流れる気体の排出ペースを小さくすることによってホースを流れる気体の突発的な排出音を静音化し、開閉調節可能コックの出口に綿を詰め込むことによってコックの出口からの気体の排出音を静音化するという効果がある。
【発明を実施するための最良の形態】
【０００６】  本発明の実施形態を図１に示す。
水槽１の水中に容器２を設置し、容器２内にエアストーン３を設置し、エアストーン３にチューブ４を接続し、チューブ４のもう一方の差込口にエアポンプ５を接続し、容器２上面にホース６を接続し、ホース６を水面７上に突出し、水面７上に突出しているホース６を斜め上方向に傾斜し、ホース６の出口に開閉調節可能コック８を接続し、開閉調節可能コック８の出口に綿９を詰め込み、容器２側面に穴１０を開け、容器２上面にウォーターポンプ１１を接続する。【０００７】「他の実施形態」
図１の実施形態では容器の形状を横幅長の立方体容器にしているが、他の実施形態では円柱状や多角形状でも良い。
また、図１の実施形態では開閉調節可能コックの出口に綿を詰め込んでいるが、他の実施形態ではスポンジでも良い。
【図面の簡単な説明】
【０００８】
【図１】水槽用エアレーション静音化装置の実施形態を示した平面図である。
【符号の説明】
【０００９】  １    水槽
２    容器
３    エアストーン
４    チューブ
５    エアポンプ
６    ホース
７    水面
８    開閉調節可能コック
９    綿
１０  穴
１１  ウォーターポンプ
【図１】
2010017166.tif 000003
(57)【要約】【課題】    生サクランボを食味・食感共殆ど生の状態を維持させて長期保持し得るサクランボの加工方法を提供する。【解決手段】Ａ．リンゴ果汁からリンゴ酒を造り、更に酢酸醗酵してリンゴ酢とし、このリンゴ酢を三年間熟成して本格醸造リンゴ酢とする。Ｂ．帆立貝の貝殻を使用する。  ＢにＡを注ぎ４８時間経過後Ｂは溶けて溶液となり、この溶液に生サクランボを漬す。  このサクランボは殆ど生の状態を保ち長期保存しても変質しない。またこのサクランボは、塩漬、酢漬、砂糖漬としても変質しない。【選択図】  なし【特許請求の範囲】
【請求項１】
リンゴ果汁から醸造した本格醸造のリンゴ酢に帆立貝等の貝殻を投入して溶解させ２日間経過した液に生サクランボを浸漬することを特徴としたサクランボの加工方法。
【請求項２】
リンゴ果汁から醸造した本格醸造のリンゴ酢に帆立貝等の貝殻を投入して溶解させ２日間経過した液に生サクランボを浸漬し、この加工サクランボを漬物液に浸漬するサクランボ漬の製造方法。
【発明の詳細な説明】
【技術分野】
【０００１】
本発明は、サクランボを生のままに近い色合いと食感を残して長期保存できるサクランボの加工方法、及びこの加工したサクランボを利用したサクランボ漬の製造方法に関する。    
【背景技術】
【０００２】
繊細で可憐で人気のあるサクランボは日持ちが短く、すぐに傷んでしまう欠点があり、長期保存する場合には塩漬や瓶詰、缶詰等にする以外にはなく、この場合は生サクランボの食感や味はなく、単にサクランボの姿をしているのみで、漬物は漬け液の味しかなく、缶詰などではケーキやアイスクリームの飾り物として利用されている。
【特許文献１】特開２０００−２３６８０８号公報
【発明の開示】
【発明が解決しようとする課題】
【０００３】
このため強いてサクランボの表皮や果肉の軟化を防ぐためには乳酸カルシウムやみょうばん等の食品添加物を使用して保存する方法も考えられる。また最近は食品に対しての消費者のニーズは安全で安心して食べられることを求める傾向が一般的に強まって来ている。
【０００４】
安全安心が食品に求められる内容の第１は食品添加物の有無である。消費者のニーズは厚生労働省が認可している食品添加物も極力使用して欲しくないことを望んでいるのが現状である。
【課題を解決するための手段】
【０００５】
発明者は、この点に鑑み鋭意研究を続けた結果本発明に到達したもので、本発明は、リンゴ果汁から醸造した本格醸造のリンゴ酢を用い、これに帆立貝等の貝殻を投入して溶解させて２日程経過すると帆立の貝殻は溶けてカルシウム成分が溶出し、この液に生のサクランボを浸漬する。１０日後このサクランボを取出して食したが、食感・色・表皮の張り共に生のものと変りなく、さらに３０日経過後変化がなく、昨年収穫して同様に処理したサクランボも変化することなく食することができて現在に至っている。また、この加工サクランボは漬物用として利用しても従来のサクランボ漬、また製菓材料等として軸と種を取りのぞき利用することも可能で、従来のサクランボ漬物とは食感等に格段の差がある。
【発明の効果】
【０００６】
本発明により得られたサクランボは、従来有害視されている食品添加物を一切使用せず、しかもサクランボの食味や食感を損うことなく長期間の保存が可能で、しかもサクランボ漬としての利用も味覚等を変えることなく加工できるため、この利用価値はきわめて大きく、サクランボの活用に特に顕著な作用効果を奏する。
【実施例１】
【０００７】
本発明に使用するリンゴ酢は、アルコール類を添加することなく、リンゴ果汁に醗酵菌を作用させてリンゴ酒を造り、更に酢酸菌を培養して酢酸醗酵によりリンゴ酢を醸造したもので、これを三年間熟成させ本格醸造のリンゴ酢とする。また帆立貝の貝殻は青森産の産業廃棄物として多量に放出される貝殻を洗浄して使用する。
【０００８】
まず貝殻に本格醸造のリンゴ酢を注ぐ、貝殻はリンゴ酢に反応して融け出し４８時間経過後、貝殻は溶融し液はカルシウムの反応によって殆んど中性になる。この溶液はカルシウム成分とミネラル成分を約９％含有した液体となり、この溶液の中に生サクランボを投入する。
【０００９】
ここで投入するサクランボの種類は、いずれでもよいが、実施例では、
(１)果肉の比較的硬い、粒の大きなナポレオン種を使用した。
(２)一番人気のある甘味が強く果肉の軟らかい佐藤錦を使用した。
一週間後、（１），（２）のサクランボには特に変化はなく、この時点で浸漬液を採取し、分析した結果、前記のカルシウム成分、ミネラル成分は０．２〜０．４％に減少していた。
【００１０】
このままの状態で３０日保存した後、（１），（２）のサクランボを取出し、食味・食感を調べたが、（１）のナポレオンはナポレオン特有の食味・食感が残り、（２）の佐藤錦は佐藤錦特有の食味・食感があって、特に果肉の軟化・果皮の変色や退化など見られなかった。
【実施例２】
【００１１】
前記実施例で、加工後３０日経過した後サクランボを取出し砂糖漬とした。この砂糖漬のサクランボは菓子用の飾りとしてケーキやアイスクリームの上に載せて使用するのに適している。
【００１２】
前記実施例の加工サクランボ１ｋｇに対して、砂糖５００ｇ、蜂蜜２００ｇ、前記加工液５００ｃｃをガラス容器に入れ、密封し、常温で３ヶ月保存した。容器からサクランボを取出して観察した。外観は殆ど変化はなく、色・艶・張り等生のサクランボに近く、食味も十分残っていて、従来のサクランボ漬とは全く違い、生食の感が十分残っていた。
【００１３】
なお、先の実施例で帆立貝の貝殻を使用したが蛤やアサリの貝殻を使用しても同様にカルシウム分が溶出して同様の結果が生じる。
【産業上の利用可能性】
【００１４】
上述のように本発明により加工されたサクランボは季節外であっても十分に新鮮なサクランボの食味が楽しめるため、一年中サクランボが楽しめ、贈答品としても使用に適し、さらに酢漬・塩漬・砂糖漬等にも従来の漬物としてのサクランボの味覚、食味を変え、さらに加工のための添加物の使用がなく安心して利用することができる。
(57)【要約】【課題】衝突混合の長所（超速乾性、耐衝撃性、剛性、耐薬品性、低温特性）を生かした新用途と新塗材である。環境上、資源の有効利用、生産性向上を念頭においた。【解決手段】衝突混合の長所を生かし、新工法、新塗材を作製した。【選択図】なし【特許請求の範囲】
【発明の詳細な説明】
【技術分野】
【０００１】一般的にいわれる衝突混合は、高圧力で塗材（発泡ウレタン、ポリウレア、ポリウレタン等）を霧化し、被塗物に吹き付ける超速乾性塗材および工法である。塗材は２液で、吹き付けガンの手前で２種類の塗材を事前に混合する。衝突混合の長所は、超速乾性、厚塗りができることである。超速乾性であるため短工期で、人件費の削減が可能である。１００％リキッドであり、有害な有機溶剤は全く含有せず、ＶＯＣ規制の観点からも優れており、耐久性においても優れた工法・塗材である。衝突混合の短所は、霧化し塗装するので塗装時にミストが発生すること、ミスト発生により塗材ロスが生じること、薄膜が困難であることである。
【背景技術】
【０００２】［請求項１］の場合、環境対応（エネルギー消費の低減）は、わが国の重要な課題である。断熱性を向上させるのに、断熱材（発泡ウレタンシート等）を内装する場合が多い。遮熱塗料は以前からあり、太陽光の熱を７０〜９０％、反射させ遮熱している。［請求項２］の場合、自動車用途等の内装フィルムを製造するのに、熱した金型に粉体樹脂（ウレタン、アクリルウレタン、アクリル等）、またはそれらを着色した粉体樹脂を吹き付け、金型の模様を忠実に再現しフィルム化する工法である。［請求項３］の場合、衝突混合で極めて微小に霧化され塗装された塗膜は非常に緻密であり細菌やカビが塗膜に付着しにくい。しかしながら、殺菌・抗菌の機能は無い。［請求項４］の場合、ポリウレタンパウダーは、強制乳化、転送法等の方法で作製され、重合時間とエネルギーが多く消費される。
【発明の開示】
【発明が解決しようとする課題】
【０００３】前述の通り、断熱材を内装する場合が多く、内断熱といわれている。外断熱により断熱性向上を実現させること、外断熱材を保護することかつ、より断熱性を向上させることが重要である。スラッシュパウダーでの自動車内装用フィルム作製は、金型を熱することでのエネルギー消費、連続生産が難しい問題点がある。衝突混合の塗膜は緻密であり、細菌やカビが付着しにくい点はあるが、殺菌・消臭の効果はない。ポリウレタンパウダーの作製は、強制乳化法・転送法等の製造方法があるが、エネルギーを多く消費すること、製造に長時間要することが実状である。
【課題を解決するための手段】
【０００４】［請求項１］の場合、基材（鉄、コンクリート等）に、発泡タイプのポリウレタンを衝突混合で吹き付け塗装後、遮熱塗料を塗装する。まず、遮熱塗料で太陽光を遮熱し、断熱材で熱伝導を抑えることによる相乗効果で断熱性は飛躍的に向上する。［請求項２］の場合、金型に離型剤（フッ素系、シリコン系等）を塗布しておき、衝突混合の塗材を吹き付ける。霧化された粒子は、金型に塗裝されフィルム化されるので金型を熱する必要はない、微小に霧化された粒子がフィルム化するので、金型の模様を忠実に微細に再現できる。金型はロール（印刷に使用されるロ−ル等）であれば連続生産が可能になる。塗装スピード、膜厚等の条件により、金型（ロ−ル）の大きさを決める。［請求項３］の場合、殺菌性・消臭性を付与するには、例えば殺菌剤・ラサップ、消臭剤・シュークレンズ（両製品とも、ラサ工業株式会社製）を衝突混合の塗材にあらかじめ、混入しておく。［請求項４］の場合、霧化された粒子を空気中に放出し粒子の硬化後、ウレタンパウダーとして回収する。粒子径、硬度等は、材料の選択と衝突混合での樹脂塗出量および速度等で決定する。但し、粉体爆発の危険性があるので、その対応が必要である。
【発明の効果】
【０００５】［請求項１］の場合、断熱材（衝突混合での発泡ウレタン）と遮熱塗料の相乗効果で極めて高い断熱効果が実現できる。又、冬場の低温時においても断熱材の効果で暖房エネルギーの低減も可能になる。［請求項２］の場合、金型を熱する必要はなく、エネルギーの低減になる。金型をロール状にすることにより、連続生産が可能になり、生産性向上は顕著である。製造されたフィルムは、衝突混合の特長である耐衝撃性、剛性が良く、優れた低温特性を持ち、耐薬品性（耐酸性、耐アルカリ性等）にも優れている。［請求項３］の場合、微小な粒子が結合し緻密な塗膜になるので雑菌やカビの付着がすくない。殺菌剤や消臭剤を混入し塗布することにより、雑菌やカビの繁殖を抑制させる。と同時に臭気も吸着する。病院での雑菌の繁殖抑制、食品工場でのハセップ対応等に利用が可能である。［請求項４］の場合、通常のウレタンパウダー作製のようにバッチ式（釜の容量で生産量が決まる。）でないので、ウレタンパウダーの必要量作製が連続生産で可能になる。コンタミの危険があるので、グレード別の生産ラインが好ましい。
【手続補正書】
【提出日】平成20年9月8日(2008.9.8)
【手続補正２】
【補正対象書類名】特許請求の範囲
【補正対象項目名】全文
【補正方法】追加
【補正の内容】
【特許請求の範囲】
【請求項１】
衝突混合で塗装後、遮熱塗料を塗装する断熱性の優れた工法。
【請求項２】
衝突混合で、スラッシュパウダーの代替が可能な工法。
【請求項３】
衝突混合の塗材に殺菌剤と消臭剤を混入し、抗菌性と消臭機能を付与した塗材。
【請求項４】
衝突混合で、ウレタンパウダー（ウレタンビーズ）を作製する工法。
(57)【要約】【課題】  誤って貴重な情報を記録した媒体を処理してしまったときも、直ちにその情報が復元できるようにする。【解決手段】処理される情報記録媒体に記録された情報の読取記録装置を設ける。  情報記録媒体が紙である場合には、読取記録装置として、情報記録媒体の記録を読み取るスキャナーと、パソコンとから成る装置を用いる。  情報記録媒体がＣＤ／ＤＶＤである場合には、情報記録媒体の記録を読み取るＣＤ／ＤＶＤリーダーと、パソコンとから成る読取記録装置が用いられる。【選択図】図１
2010017678.tif 000002
【特許請求の範囲】
【請求項１】
情報記録媒体を切断廃棄するシュレッダーにおいて、
処理される情報記録媒体に記録された情報の読取記録装置を設けたことを特徴とする上記のシュレッダー。
【請求項２】
情報記録媒体が紙であり、読取記録装置が、情報記録媒体の記録を読み取るスキャナーと、パソコンとから成る、請求項１に記載のスキャナー。
【請求項３】
情報記録媒体がＣＤ／ＤＶＤであり、読取記録装置が、情報記録媒体の記録を読み取るＣＤ／ＤＶＤリーダーと、パソコンとから成る、請求項１に記載のスキャナー。
【請求項４】
生体認証装置が設けられ、情報記録媒体に記録された情報と共に、処理作業者のIDが記録される請求項１ないし３のいずれか１に記載のシュレッダー。
【発明の詳細な説明】
【技術分野】
【０００１】
本発明は、情報記録媒体を切断処理するシュレッダーに関する。
【背景技術】
【０００２】
不要になった情報記録媒体を切断処理するシュレッダーは広く用いられており、以下の特許文献1に示すものの外、多数の特許出願がなされている。
【特許文献１】特開平05-192602
【０００３】
然しながら、保存すべき重要情報を記録した媒体を誤って処分してしまうことがしばしばあったが、このような事態に対処すべき手段については何ら考慮がなされていなかった。
誤って処理された情報を復元できるシュレッダーが提供されれば大変好都合である。
【発明の開示】
【発明が解決しようとする課題】
【０００４】
本発明は、如上の問題を解決するためなされたものであって、その課題とするところは、誤って廃棄処理された情報を復元できるシュレッダーを提供することである。
【課題を解決するための手段】
【０００５】
叙上の課題を解決するため、本発明においては、処理される情報記録媒体に記録された情報の読取記録装置を設ける。
情報記録媒体が紙である場合には、読取記録装置として、情報記録媒体の記録を読み取るスキャナーと、パソコンとから成る装置を用いる。
情報記録媒体がＣＤ／ＤＶＤである場合には、情報記録媒体の記録を読み取るＣＤ／ＤＶＤリーダーと、パソコンとから成る読取記録装置が用いられる。
【発明の効果】
【０００６】
本発明に係るシュレッダーにおいては、処理される情報記録媒体に記録された情報の読取記録装置が設けられているので、誤って貴重な情報を記録した媒体を処理してしまったときも、直ちにその情報が復元できるものである。
【発明を実施するための最良の形態】
【０００７】
以下図面により本発明の一実施例を説明する。
図1は本発明に係るシュレッダーの一実施例を示す斜視図、図2はその作用原理を示す説明図である。
【０００８】
図１及び図２において、１０はシュレッダーであり、その筐体上に紙媒体投入口１２、ＣＤ／ＤＶＤ投入口１4、電源スイッチ１６及び生体認証用指紋リーダー１８を具備する。
【０００９】
２０はパソコンであり、本体装置２２、キーボード２４、ディスプレイ２６を具備し、後に述べる装置により処理される情報媒体から読み出した情報を記録する。
【００１０】
３０は、文書、図面、印刷物、写真その他の紙製の情報媒体である。これは合成紙などのプラスチックシートであっても良い。
シュレッダー１０の紙媒体挿入口１２の下方には、紙ガイドローラー３２、両面イメージスキャナー３４、カッター３６が設けられている。
ここで、紙ガイドローラー３２及びカッター３６は何れも、対を成して設けられている。
挿入口１２に挿入された情報媒体３０は、一対の紙ガイドローラー３２により引き取られ、両面イメージスキャナー３４により表裏両面の画像情報が読み取られた後、一対のカッター３６の間に導かれ、複数の細長い紙片３８に切断される。
読み取られた画像情報はパソコン２０の本体装置２２に記録される。
【００１１】
４０は、ＣＤ又はＤＶＤのような、ディスク状の媒体である。
挿入口１４の下方には、読取装置４２、カッター４４が設けられており、挿入口１４から挿入された媒体４０は、自動的に読取装置４２に装着され、その記録データが読み取られ、そのデータはパソコン２０の本体装置２２に記録される。
【００１２】
従って、重要なデータを記録した媒体を誤って廃棄した場合には、キーボード１０を操作することにより、パソコン２０から所望のデータを再生することができる。
【００１３】
本発明の望ましい実施例においては、指紋或いは静脈パターンに依る生体認証装置が設けられ、これらの生体情報を登録した者のみが、このシュレッダーを操作し得るよう構成される。
即ち、この生体認証装置のリーダー１８は、パソコン２２と連結されており、使用を許可された者の指紋或いは静脈パターンは予め読み取られ、本体装置２２のメモリに登録されるものである。
【００１４】
登録を受けた者は、何時でも親指を、リーダー１８の押し当て、認証を受けることにより、媒体の処理並びにパソコン記録の検索及び再生を行うことができ、その操作記録は、逐一パソコン２０に記録されるものである。
尚、使用者の資格、権限に合わせて、可能な作業を媒体の処理のみなどに限定することも可能である。
【産業上の利用可能性】
【００１５】
本発明によるときは、誤って貴重な情報を記録した媒体を処理してしまったときも、直ちにその情報が復元できる新規なシュレッダーを提供できる。
【図面の簡単な説明】
【００１６】
【図１】本発明に係るシュレッダーの一実施例を示す斜視図である。
【図２】図１に示したシュレッダーの作用原理を示す説明図である。
【符号の説明】
【００１７】
１０：  シュレッダー
１２：  紙媒体投入口
１４：  ＣＤ／ＤＶＤ投入口
１６：  電源スイッチ
１８：  生体認証用指紋リーダー
２０：  パソコン
２２：  本体装置
２４：  キーボード
２６：  ディスプレイ
３０：  紙製の情報媒体
３２：  紙ガイドローラー
３４：  両面イメージスキャナー
３６：  カッター
４０：  ディスク状の媒体
４２：  読取装置
４４：  カッター
【図１】
2010017678.tif 000003
【図２】
2010017678.tif 000004
(57)【要約】【課題】音声録音時、又は入力時の位置情報を音声再生時に認識できるようにすること。【解決手段】音声発生源１から入力された音声情報を、マイクロフォン２に入力する。すると、マイクロフォン２により音声の周波数特性が電気信号に変換され、出力端子３から入力端子４に音声信号が出力され、入力端子４に音声信号が入力される。イコライザー５で入力部４より入力された音声情報の周波数特性を、周波数帯域ごとに音圧レベルを等ラウドネス曲線と同じ、もしくは可能な限り近づくように設定する。マイクロフォン２、スピーカー８、アンプ部７等を通過することにより機器の個体差によって変化する信号の周波数特性を考慮し、スピーカー８から最終的に出力される周波数特性が等ラウドネス曲線になるよう設定する。この時、再生時の音圧レベルにあわせ、周波数帯域ごとに等ラウドネス曲線にあわせるのが望ましい。【選択図】図１
2010050940.tif 000002
【特許請求の範囲】
【請求項１】
音声信号の位置情報を再現するために、音声信号の周波数特性を等ラウドネス曲線に変換することを特徴とする立体音響生成方法。
【発明の詳細な説明】
【技術分野】
【０００１】  本発明は、立体音場を再生するための立体音響生成方法に関する。
【背景技術】
【０００２】  従来の音響機器および記録メディア、音声ソースの周波数特性はフラットになるように設定されており、再生時に音声の位置情報を再現することができなかった。特許文献１は、音声信号を加工し疑似サラウンド効果を付加したもので、偽者の音声位置情報を再生するものであるから、再生時に音声信号の位置情報を再現できない。
【特許文献１】特開２００６−１０１４６１号公報
【発明の開示】
【発明が解決しようとする課題】
【０００３】  以上に述べた従来の設定方法では、音声録音時、又は入力時の位置情報を音声再生時に認識できなかった。【０００４】  そこで本発明は、このような従来の構成が有していた問題を解決しようとするものであり、音声録音時、又は入力時の位置情報を音声再生時に認識できるようにすることを目的としたものである。
【課題を解決するための手段】
【０００５】  そして、本発明は上記目的を達成するために、音声信号の周波数特性を等ラウドネス曲線に変換することを特徴とする。
【発明の効果】
【０００６】  本発明は、音声録音時、又は入力時の位置情報を音声再生時に認識することができる。
【発明を実施するための最良の形態】
【０００７】  以下図面に基づいて、本発明の実施例を説明する。【０００８】  図１において、１は音声情報の発生源であり、音声情報は発せられたときに位置情報が存在する。２は音声を電気信号に変換するためのマイクロフォンで、３はマイクロフォンの音声信号の出力端子であり、４は音声信号の入力端子である。【０００９】  ５はイコライザーで、これにより周波数特性の重み付けを行い、最終的に再生時の周波数特性が等ラウドネス曲線になるように変換する。尚、イコライザーに代えて、プロセッサー等の音声信号の周波数特性を等ラウドネス曲線にあわせた周波数特性に変換できる装置であればよい。６は出力端子、７はアンプ部、８は最終的に音声を出力するスピーカーである。【００１０】  以下、上記構成の動作を説明する。音声発生源１から入力された音声情報を、マイクロフォン２に入力する。すると、マイクロフォン２により音声の周波数特性が電気信号に変換され、出力端子３から入力端子４に音声信号が出力され、入力端子４に音声信号が入力される。【００１１】  イコライザー５で入力部４より入力された音声信号の周波数特性を、周波数帯域ごとに音圧レベルを図２の等ラウドネス曲線と同じ、もしくは可能な限り近づくように設定する。【００１２】  マイクロフォン２、スピーカー８、アンプ部７等を通過することにより機器の個体差によって変化する信号の周波数特性を考慮し、スピーカー８から最終的に出力される周波数特性が等ラウドネス曲線になるよう設定する。この時、再生時の音圧レベルにあわせ、周波数帯域ごとに等ラウドネス曲線にあわせるのが望ましい。【００１３】  等ラウドネス曲線と同じ周波数特性になるよう重みつけを行うのが望まれるが、等ラウドネス曲線の周波数特性と少し違っている場合でも、ある程度の位置情報は、音声再生時に再現される。この場合、周波数特性の違いが大きくなる程位置情報は失われ、位置情報が変化する。【００１４】  音声信号を記録しているＣＤや、ＤＶＤ等の記録媒体からの音声信号を等ラウドネス曲線に変換しても同様な効果が得られる。【００１５】  上述したように、音声信号の再生時の周波数特性を等ラウドネス曲線に変換することにより、スピーカー８から再生された音声には音声発生源１の位置情報が再現される。
【図面の簡単な説明】
【００１６】
【図１】構成ブロック図である。
【図２】新規格の等ラウドネス曲線を示す表である。
【符号の説明】
【００１７】  １音声発生源
２マイクロフォン
３出力部
４入力部
５イコライザー
６出力部
７アンプ部
８スピーカー
【図１】
2010050940.tif 000003
【図２】
2010050940.tif 000004
(57)【要約】【課題】  本発明の課題は、反物質である反陽子および陽電子を長時間かつ大量に保存、蓄積する装置を提供することにある。【解決手段】  正電荷と負電荷の粒子からなるプラズマを磁気によって閉じ込める超高真空容器と排気装置および磁気閉じ込め装置を備え、反陽子と陽電子を電荷的中性が保たれるようにほぼ同数磁気閉じ込め装置に注入することを第一の特徴とし、さらに反陽子と陽電子の混合したプラズマの温度が低下し反陽子と陽電子の結合した中性反水素が発生しないようにプラズマを加熱し温度維持を行う装置を備えたことを第二の特徴とする反物質保存蓄積装置を構成する。【選択図】図１
2010050073.tif 000002
【特許請求の範囲】
【請求項１】
反物質である反陽子と陽電子を保存、蓄積する装置であって、正電荷と負電荷の粒子からなるプラズマを磁気によって閉じ込める超高真空容器と排気装置および磁気閉じ込め装置を備え、反陽子と陽電子を電荷的中性が保たれるようにほぼ同数磁気閉じ込め装置に注入することを第一の特徴とし、さらに反陽子と陽電子の混合したプラズマの温度が低下し反陽子と陽電子の結合した中性反水素が発生しないようにプラズマを加熱し温度維持を行う装置を備えたことを第二の特徴とする反物質保存蓄積装置。
【発明の詳細な説明】
【技術分野】
【０００１】  本発明は、反物質である反陽子と陽電子を長時間、大量に保存、蓄積する装置に関する。
【背景技術】
【０００２】  反物質である反陽子と陽電子は、それぞれ通常物質である陽子、電子と対消滅し、高エネルギーのγ線を発生する。電子−陽電子対消滅はポジトロンＣＴ，通称ＰＥＴに利用されている。また反陽子は陽子との対消滅でＧｅＶ級の超高エネルギーγ線を発生するが、γ線の高い透過力を利用した非破壊検査、ガンの放射線治療、核融合反応の点火などに利用可能と考えられている。【０００３】  しかし、反陽子、陽電子は反物質であり、我々の住む宇宙において大量に存在する通常物質と対消滅するので、保存、蓄積することが困難であり、実用的利用が難しくなっている。【０００４】  通常は反陽子、陽電子を粒子ビームとして磁場による偏向、収束効果を利用した蓄積リングに保存、蓄積するか、あるいは静電気的多重極を用いたイオントラップが用いられる。反水素、陽電子の結合した反水素は電気的中性になるので磁気的、電気的に閉じ込めることが難しく、光子圧をもちいたトラップなどが考案されている。いずれも保存、蓄積可能な反物質量は極微量である。
【発明の開示】
【発明が解決しようとする課題】
【０００５】  磁気的あるいは静電気的に粒子を閉じ込めるには粒子が帯電している必要があり、同一の電荷を持った粒子間には相互に強いクーロン斥力が動くため高密度で閉じ込めることが出来ない。また光子圧を用いて粒子を閉じ込めるには閉じ込め時間中高強度の光を照射し続けなければならず、エネルギーを大量に消費する。【０００６】  そこで本発明は、反陽子と陽電子からなる電荷中性のプラズマ状態で反物質を閉じ込めることにより、静電気的クローン反発の効果を打ち消し、高密度での反物質の保存、蓄積を可能とし、さらに超電導コイルによる磁気閉じ込めを利用することによりエネルギー消費を抑えることを実現しようとしている。
【課題を解決するための手段】
【０００７】  反物質である反陽子と陽電子を保存、蓄積する装置であって、正電荷と負電荷の粒子からなるプラズマを磁気によって閉じ込める超高真空容器と排気装置および磁気閉じ込め装置を備え、反陽子と陽電子を電荷的中性が保たれるようにほぼ同数磁気閉じ込め装置に注入することを第一の特徴とし、さらに反陽子と陽電子の混合したプラズマの温度が低下し反陽子と陽電子の結合した中性反水素が発生しないようにプラズマを加熱し温度維持を行う装置を備えたことを第二の特徴とする反物質保存蓄積装置を構成する。
【発明の効果】
【０００８】  本発明においては、反物質である反陽子と陽電子を長時間、大量に保存、蓄積する事が目的であるため、反陽子と陽電子のプラズマの温度は中性反水素が電離した状態を保つことの出来る温度で十分なので１０万Ｋと、プラズマの閉じ込めとしては低温で良い。そのため輻射によるエネルギー損失を低く抑えることが出来る。またプラズマの粒子密度は１０２０／ｍ３程度は可能であるので、１モルに近い反物質を実用的に保存、蓄積することが可能になる。
【発明を実施する最良の形態】
【０００９】  反物質を蓄積するためには、背景となる環境から可能な限り通常物質を排除しなければならない、そのため超高真空容器と排気装置が設けられる。次に反物質を反陽子と陽電子の混合した電気的中性のプラズマとして閉じ込めるための磁気閉じ込め装置が設けられる、消費電力を抑えるためには超電導磁石を用いることができる。磁気閉じ込め装置の磁場配置としては、ミラー型、トカマク型、ステラレータ型など高温プラズマの磁気閉じ込め核融合炉の磁場配置を用いることが出来る。次に反陽子と陽電子からなるプラズマはおもに輻射によってエネルギーを失うが、それによって生ずる反陽子と陽電子とからなる中性反水素は磁場によって閉じ込めることは出来ないため、プラズマの電離状態を保つためにプラズマの温度を１０万Ｋに保たなければならない。そのためのプラズマ加熱装置が設けられる。
【実施例】
【００１０】  図面をもちいて本発明の実施例を説明する。１１は反物質を閉じ込める超高真空容器である。１２は超高真空装置を排気する排気系である。２１は磁気閉じ込め用のコイルであり、本実施例での磁場配置はミラー型とした。またコイルは超電導コイルである。３１は反陽子ビーム、３２は陽電子ビームである。反陽子ビーム、陽電子ビームは高エネルギー粒子同士の衝突あるいは高エネルギービームをターゲットに照射することにより対生成によって発生される。４１はプラズマの加熱を行うマイクロ波照射装置である。陽電子ビーム、反陽子ビームは電流を計測しつつ電荷的中性であるプラズマ５１として真空容器１１中に、磁気閉じ込めコイル２１によって発生されたミラー型磁気トラップに保存、蓄積される。マイクロ波照射装置４１からのマイクロ波で陽電子を加熱することによりプラズマの温度は１０万Ｋに維持される。
【図面の簡単な説明】
【図１】  本発明の反物質保存蓄積装置の概念図である。
【符号の説明】
１１  超高真空容器
１２  排気系
２１  超電導コイル
３１  反陽子ビーム
３２  陽電子ビーム
４１  マイクロ波照射装置
５１  反物質プラズマ
【図１】
2010050073.tif 000003
(57)【要約】【課題】電池パックの組み付け性を向上させる。【解決手段】電池パック落下時にケースの内側へ変形するリブ部分を斜めに切り欠くことで電池セル群６を下側ケース４に収容する際に、電池セル群６とリブ２とが干渉することを防止する。【選択図】図１
2010033842.tif 000002
【特許請求の範囲】
【請求項１】
複数の端子を備えた機器本体に着脱自在に装着されて該機器本体に給電可能な電池パックであって、
上側ケースと下側ケースに該上側下側ケース内に設けられて電池セルを収容した電池セル群と、
該電池セル群に電気的に接続された複数の端子とを備え、
電池セル群は下側ケースのリブにより保持されており、上側ケースと下側ケースの合わせ部周囲は外側に突出しており、下側ケースのリブを斜めにカットして形成したこと特徴とする電池パック。
【発明の詳細な説明】
【技術分野】
【０００１】
本発明は、電動工具等に用いられる電池パックに関し、特に組み付け性を向上させたものに関する。
【背景技術】
【０００２】
従来技術の電池パックとして下記特許文献１に記載のもの、あるいは図３、図４に示すものが上げられる。この電池パック1は複数の電池セルを一体化した電池セル群6と、この電池セル群６を収納する上側ケース３と下側ケース４とから成り、電池セル群6に電気的に接続された複数の端子(以下端子7)が機器本体の端子と当接するよう配設されている。
【０００３】
このような電池パック１では、下側ケース４に電池セル群６を収容した後に下側ケース４に対して上側ケース３をねじ止めにより一体化して組み立てるようになっており、下側ケース４には電池セル群６を保持するためのリブ８が電池セル群６に隣接して設けられている。
【０００４】
【特許文献１】特開２００１−１３５２８７号公報
【発明の開示】
【発明が解決しようとする課題】
【０００５】
上記従来技術では、電池セル群６を下側ケース４に収容する際に、電池セル群６の側端とリブ８とが干渉するために、電池セル群６をスムーズに下側ケース４内に収容することが難しく、組み付け性を損なうという問題があった。
【０００６】
本発明は上記問題を上記事情に鑑みてなされたものであり、その目的は組み付け性を向上させることができる電池パックを提供することである。
【課題を解決するための手段】
【０００７】
上記目的を達成するために請求項１の発明では、複数の端子を備えた機器本体に着脱自在に装着されて機器本体に給電可能な電池パックであって、上側ケースと下側ケースに上側下側ケース内に設けられて電池セルを収容した電池セル群と、電池セル群に電気的に接続された複数の端子とを備え、電池セル群は下側ケースのリブにより保持されており、上側ケースと下側ケースの合わせ部周囲は外側に突出しており、下側ケースのリブを斜めにカットして形成したこと特徴としている。
【発明の効果】
【０００８】
本発明によれば、電池セル群から遠ざけるように下側ケースリブを斜めに切り欠くことにより、電池セル群を下側ケースに収容する際に電池セル群とリブとが干渉することがなく、電池セル群を下側ケースにスムーズに組み付けることができる。
【発明を実施するための最良の形態】
【０００９】
本発明の一実施例を図１〜３を用いて説明する。回路基板2を収納する
電池パック1は上側ケース３と下側ケース４と、該ケース内に設けられて電池セルを収容した電池セル群６と、該電池セル群６に電気的に接続された複数の端子(以下端子７)とで構成される。
下側ケース４のリブ２を斜めに切り欠くことで、電池セル群６を下側ケース４に収容する際に電池セル群６とリブ２とが干渉することがなく、電池セル群６を下側ケース４にスムーズに組み付けることができる。
【図面の簡単な説明】
【００１０】
【図１】本発明になる電池パックの一実施例を示す断面図である。
【図２】本発明になる電池パックの一実施例を示す拡大断面図である。
【図３】従来の電池パックの一実施例を示す断面図である。
【図４】従来の電池パックの一実施例を示す上面図である。
【符号の説明】
【００１１】
１…電池パック
２、８…リブ
３…上側ケース
４…下側ケース
６…電池セル群
７…端子
９…厚肉部
【図１】
2010033842.tif 000003
【図２】
2010033842.tif 000004
【図３】
2010033842.tif 000005
【図４】
2010033842.tif 000006
(57)【要約】      （修正有）【課題】安価格で世界中、何処でも親族世帯内の行動確認が可能な「みまもる安心ケーブルネット」システムを提供する。【解決手段】日本の現実を考えた場合に全国の少子高齢化社会へと着実に進んでいます。故郷を離れて親が安心して暮らしているか日々、心配になるものです。親族・子供が遠くから親の日々の生活をみまもる、思う気持ちは誰も一緒です。その為には地元に密着した有線ケーブルインフラ基盤を利活用して契約者宅(老人世帯、独居老人世帯、介護在宅世帯、その他世帯)の日々の生活リズムをセンサ等で監視した世帯内(時間、場所)の行動を遠くからみまもる親族・子供に対して必要な情報データをケーブル局のサーバー又は情報センターで集約して２４時間自由に閲覧でき又、親族に最新情報伝達としてメールで定期送信・受信閲覧サービスを基礎とし、緊急火災時の通信伝達提供も実現する。【選択図】図１
2010033126.tif 000002
【特許請求の範囲】
【請求項１】
日本全国で運用されている。有線ケーブルインフラ回線網を利用し２４時間世帯内の行動
を監視して、最新世帯内行動情報を人感センサ（１）自動電源スイッチオンオフで察知し
情報をスイッチセンサ（４）からデータ収集器（５）に行動データとして蓄積する。
火災時には火災報知器（２）、緊急ボタン（３）、自動電源スイッチオンオフが作動する。
作動した送受信をスイッチセンサ（４）からデータ収集器（５）、ケーブルモデム器（６）、
保安器（７）、引込端子（８）経由でケーブルテレビ局側のケーブルテレビ伝送路（９）か
らヘッドエンド（１０）、ケーブルモデム終端装置（１１）、ルーター（１２）、みまもる安
心ケーブルネット専用サーバ（１３）で世帯情報を検索してみまもる安心ケーブルネット
公開Ｗｅｂサーバ（１４）から消防署に必要な情報を送信する。
【請求項２】
各世帯内の玄関、リビング、キッチン、寝室、トイレ、冷蔵庫に取り付けた人感センサ(１)(赤
外線、電波)又はマグネットで人体を察知した情報の世帯内(時間、場所)行動を管理してス
イッチセンサ（４）からデータ収集器（５）に転送して世帯内の察知場所をプログラムで
判定して変換行い、定期的に専用サーバ（１３）に送信する。火災報知器（２）、緊急ボタ
ン（３）も同様だが緊急を要す為、瞬時に消防署へ通報を行う。
人感センサ（１）、スイッチセンサ（４）、データ収集器（５）に転送され各機器経由後、
みまもる安心ケーブルネット管理サーバ（11）で最新データ定期的送信して管理し、公開
Ｗｅｂシステム（14）からインターネット網（15）で安否情報をパソコンメール又は携帯
メールで何時でもすきな時に確認出来る機能を有する。
【請求項３】
この特許請求範囲は有線ケーブルインフラ回線網整備内までとする。
有線ケーブルインフラ回線網からインターネット回線経由、電話回線経由については特許
請求範囲外とする。
【発明の詳細な説明】
【技術分野】
【０００１】
有線ケーブルインフラ回線網に取り付けられたインターネットのケーブルモデム器（６）
とデータ収集器（５）に人感センサ(１)の電波、赤外線、マグネットを接続して行う。双方
向可能な伝送路の接続方法とする。
火災報知器（２）、緊急ボタン（３）は有線ケーブルインフラ回線との接続は火災報知器（２）、
緊急ボタン（３）に対して通信機器設定接続口がある事を前提とする。電源オンオフの判
定接続を有する機器を利用し、通常はＯＦＦとして火災発生時と緊急ボタン（３）を押し
た場合に自動的にＯＮスイッチとなり、異常送信をスイッチセンサ（４）、データ収集器（５）
からケーブルモデム器（６）の有線ケーブルインフラ回線経由でサーバのデータ監視シス
テム情報のデータベースに送信して、サーバ側で火災時と緊急ボタン（３）の世帯割り出
しの判定を行い、世帯主、住所、電話番号、地図による場所を消防署に通知する。
人感の行動を察知した各世帯内(時間、場所)データを世帯毎に２４時間取得して何時、何
分に察知したかをデータ収集器（５）データを管理する。
又、日々の収集データに対してみまもる安心ケーブルネット専用サーバ（13）側に定期的
にデータ収集器（５）に更新を行いアルゴリズム採用して青色(通常の生活パターン)、黄色
(通常以外の生活パターン)、赤色(異常の生活パターン)に別けて参考の生活の最新リムズ情
報パターンとしてパソコンメール、携帯メールで閲覧可能なシステムである。
パソコンメール及び携帯メールに反映する内容について以下(朝の6時は06で反映し他の
時間も同様に06 07 08 09 10 11 12 13 14 15 16 17 18 19 20 21
22 23 24 01 02 03 04 05)と
する。 
場所の略称は以下で(玄関はＥ、リビングはＬ、トイレはＴ、寝室はＢ、冷蔵庫はＲ）表す。
【発明の開示】
【発明が解決しようとする課題】
【０００２】
有線ケーブルインフラ回線網はテレビ情報及びインターネット情報が主な運用だが今
後は地域密着した有線ケーブルインフラ回線網を有効活用して遠距離に住む高齢者(老人
世帯、独居老人世帯、介護世帯)をさりげなく、みまもるお手伝いを支援する事が社会に
貢献する一歩と考えています。
又、各世帯に対して火災報知器（２）の取り付けが義務化となり、緊急火災時、急病人
に対してより早く伝達する手段として連絡をより早く消防署に通達し、人命救助の確保
が可能となるとともに住民の財産も見守る事も可能。
地震後の安否についても世帯内の何処にいたかも人命救助の判断材料となる。
【０００３】
本発明は、このような従来の有線ケーブルインフラ回線網から脱皮して有効活用する
事により、各世帯の安心と地域に密着した情報、火災時、地震時の情報伝達をより早く、
提供する事で住民が安心して生活が出来ると確信しています。
【発明の効果】
【０００４】
本発明は、日本全国の課題である。少子高齢化対策に対して多少なりとも親から離れ
て都会に住む兄弟、親戚等が安否(老人世帯、独居老人世帯等)をパソコンメール携帯メ
ールで確認できる機能を有する事で安心して老人世帯を遠くからみまもるサポート支援
効果が可能。
又、緊急時の火災時、急病人の緊急ボタン時の敏速な手段としての有線ケーブルインフ
ラ回線網を利用した通信手段が可能。
【実施例】
【０００５】
図１は本発明の実施例の全体図である。      
【図面の簡単な説明】
【０００６】
【図１】ＣＡＴＶネットワークの加入者宅の機器構成図とケーブルテレビ局側機器構成図の反映である。
【図１】
2010033126.tif 000003